(57)【要約】      （修正有）【課  題】食料品の包装材の乱雑な使用を無くし、スーパーなどの商品販売の際に、ゴミに成る物を出さないようにし、包装を省けない食料品の包装材を安易にリサイクル化する販売システムを提供する。【解決手段】食料品の包装材を省いて販売出来る商品は包装を省いて販売し、持ち帰り用袋などのリサイクル処理化されない物は、持参してもらうよう協力をお願いする。包装を省く事が出来ない食品の包装材の各包装素材（例、アルミ・スチール・ビン・プラスチック・ビニールなどで、特にはプラスチック・ビニールなどの化学化成系）の、後々まで安易にリサイクル化出来る様にする為に、各包装素材の単純化を考えて選択する。又、各リサイクル素材専用の収集箱と、その各素材専用の収集車の設置を行う。【選択図】図１
2004187482.tif 000002
【特許請求の範囲】
【請求項１】
スーパー（食料品販売店）などの、食料品販売時に保存用食品（菓子、カンズメ、惣菜、その他、雑貨食料品などの、当初から保存を目的に生産され、完全に包装された包装を省く事が出来ない食料品）と当日食に当る食料品（当初から保存を目的に完全に包装パッケージされていない、精肉、鮮魚、惣菜、野菜などの製造日近くに食する包装を省く事が出来る食品）の食品分けをする。そして包装を省く事が出来ない食料品売場と、包装を省いて販売する事が出来る食料品売場の売場分けをし、主要であるゴミに成る物（食料品の包装材）を無くす為に食料品の包装を省いて販売出来る食料品売場ではその販売する食料品の包装を取り除き、食料品その物だけをお客様にはお渡する、又現在ゴミに成っている持ち帰り用袋（プラ、塩化ビニール製など）もリサイクル処理化されない物は、お客様にはお渡ししない事を特徴とした食料品販売システム。
【発明の詳細な説明】
【０００１】
【発明の属する技術分野】
スーパーなどの食料品販売店の食料品販売時に後々にも、ゴミを出さない様に販売する販売システム。その際、構造設置して頂きたい保存用食料品（当初から保存を目的に生産された完全に包装された包装を省く事が出来ない食料品）の包装材の環境への影響も鑑みて頂いたリサイクル素材（アルミ・スチール・ビン・ビニール・プラスチック・紙など）の選択とそれに伴う、各リサイクル素材の処理設置の確立と各リサイクル素材に分別したリサイクル構造の整理化の提唱。
【０００２】
【従来の技術】
食料品包装材の、不節操な使用は、日本のお国柄だと考えるが、現在、場合によっては包装なしで販売している事が有るが、当考案内容の保存用食品などの包装を省いて販売出来ない食料品売場と製造当日近くに食する食品などの包装を省いて販売出来る食料品売場とを売場分けをし、本考案主要である包装を省いて販売する事が出来る食料品の包装を無くし食料品その物だけをお客様にお渡しし、又現在ゴミに成っている持ち帰り用袋をお渡ししないで食料品を販売する販売方法はない。
【０００３】
【発明が解決しようとする課題】
食料品包装材（ゴミになる）の乱雑な使用を失くし、スーパー（食料品販売店）などの商品販売の際に後々にもゴミに成る物を出さない様に販売を考え、その際保存用食品（当初から保存を目的に生産され完全に包装された包装を省けない食料品）の包装材をいかに後々まで安易にリサイクル化出来るか。
【０００４】
【課題を解決するための手段】
食料品販売時に保存用食品（菓子、カンズメ、雑貨、食品などの、当初から保存を目的に生産され完全に包装された包装を省く事が出来ない食料品）以外の当日に当る食料品（当初から保存を目的に完全に包装パッケージされていない精肉・鮮魚、惣菜、野菜などの製造日近くに食する包装を省いて販売する事が出来る食料品）の包装を取り除き食料品その物だけをお客様にお渡しする、又現在ゴミに成っている持ち帰り用袋もリサイクル処理化されない物は、お渡しせず、お客様には前もって販売食料品をいれる容器と持ち帰り用の袋を、御持参頂く様賛同御協力をお願いしその際店内食料品売場の配列は保存用食料品（当社から保存を目的に生産され完全に包装された包装を省く事が出来ない食料品）と当日食に当る（保存を目的に包装パッケージされていなく、精肉、鮮魚、惣菜、野菜など製造日当日近くに食する包装を省いて販売する事が出来る食料品）とに売場分けをし販売する食料品の料金清算を安易にする為保存用食品などの包装を省けない食料品売場専用の料金清算所（レジスタ）と製造日当日近くに食する包装を省いて販売する事が出来る食料品売場専用の料金清算書（レジスタ）を設け食料品売場の整理化を図るものである。なを、付け加えて行かなければ行けない事は保存用食料品の包装材は後々に安易にリサイクル出来る事を目指し各種包装素材、アルミ、スチール、ビン、プラスチック、ビニールなどのその素材のリサイクルの安易化を図る為、包装素材、１種、１性質の素材の単純化を提案し本考案内容の保存用食料品（包装を省けない食料品）のリサイクルする素材の選考を鑑みて頂その選考際に各素材のリサイクル処理を安易に出来る素材がリサイクル処理工程による環境への影響（リサイクル処理前の素材の汚れの洗浄による環境への影響も含み）と焼却による環境への影響とをより、いっそう鑑みて頂きそれに伴い、リサイクルの潤滑の為に、選考された各種リサイクル素材専用の収集箱と収集車の設置を提案しそれに伴う収集箱とその収集箱とその収集箱の置場の構造を考えその収集箱とその収集箱の置場の構造を一般用だけでなく公園や公共の場所やその他の場所への適応をお願い。早期リサイクル構造の設立を願うものである。。
【０００５】
【発明の実施の形態】
本考案の実施の形態は、販売方法の説明と売場例図面を基の説明する販売方法説明は食料品販売時に（スーパー食料品販売店などで）ゴミに成る物を、省く為（例、食料品包装材）保存用食料品（菓子、カンズメ、雑貨食品などの当初から保存を目的に生産され完全に包装された包装を省く事が出来ない食料品）以外の当日食に当る食料品（精肉、鮮魚、惣菜、野菜など製造日近くに食する包装を省いて、販売出来る食料品）の包装を取り除き、食料品その物だけをお客にお渡しし、又現在ゴミに成っている持ち帰り用袋（プラ、塩化ビニール製など）もリサイクル処理化されない物はお客様にお渡ししない販売方法で、その際お客には前もって購入して頂いた食料品を入れる容器と持ち帰り用の袋を御持参頂く様御協力を御願いしその、販売方法実施の際の食料品販売場所の売場配列例を図１で説明する。その販売方法実施の際の食料品販売場所の売場配列例を図１で説明する各、２、５、６を保存用食品（当初から保存、目的に生産され完全に包装された包装を省く事が、出来ない食料品）売場とし、７と８、各１、３、４を当日食に当る食料品（精肉、鮮魚、惣菜、野菜など製造日近くに食する包装を省いて販売出来る食料品）売場とし各５、６（保存食品）と７各３、４（当日食に当たる食料品）の様に売場分けをし、５、６専用の料金清算所（レジスタ）を２とし各３、４（当日食に当たる包装を省いて販売する事が出来る食料品売場）専用の料金清算所（レジスタ）は各１を設け食料品販売の料金清算の整理化を図るものである。なお当日食に当る包装を省いて販売する事が出来る精肉、鮮魚、惣菜、野菜など各食品種別の売場は各１、３、４である。その際保存用食品（包装を省けない食品）の包装材のリサイクル化の構造を（課題を解決するための手段）の内容で鑑みて頂き、それに伴い一般のゴミ、リサイクル材収集場所だけでなく公園や、公共の場所やその他の場所に設置を提案したい各種、リサイクル素材を入れる収集箱とその収集箱の置場の構造例わ、図２、図３、図４で説明したい。図２の１７は、ゴミ箱（リサイクル材収集箱）の中敷用ゴミ袋を、使用しなくて済む事とゴミ、リサイクル材の内容物、雨水など溜まる事なく汚れも洗浄しやすい様に、１８をアミ目底にし、図３の１９は各種リサイクル素材、一部、ゴミ収集箱を置き収まる大きさを取り２１は、図２のリサイクル素材一部、ゴミ収集箱と１９の洗浄用水道で有り、２２はその洗浄用ホースで有る。２０は排水用排水口で有る。図４は収集箱と収集箱置場例の全体図で２３、２４、２５、２６は各例素材用収集箱である。その他、ビン、紙、ビニール（プラスチック）のリサイクル素材の内容など鑑みて頂き各収集箱の種類を選択して頂きたい。
【図面の簡単な説明】
【図１】本考案内案で実施の際の食料品、販売場所の売場配列例図である。
【図２】本考案内容の実施の際に考えてみたリサイクル材一部ゴミ用の収集箱の本体例図である。
【図３】本考案内容の実施の際に、考えてみたリサイクル材一部ゴミ用の収集箱置場の構造例図である。
【図４】本考案内容の実施の際に考えてみたリサイクル材用収集箱と収集箱と収集箱置場の構造例全体図である。
【符号の説明】
１  当日食に当る食品（包装無）売場用レジスター
２  保存用食品（包装有）売場用レジスター
３  当日食に当る食品（包装無）売場
４  食品仕込み場所
５  保存用食品売場
６  冷凍食品（保存用食品）、売場（棚）
７  精、魚（当日食に当る食品）売場（棚）
８  ７用レジスター
９  店員通路
１０  お客様用購入品梱包台
１１  出入り口
１２  非常口
１３  トイレ用通路
１４  トイレ（例、男子）
１５  トイレ（例、女子）
１６  そうこ
１７  リサイクル材一部ゴミ用収集箱
１８  水切り用アミ目底
１９  水切り用収集箱置場
２０  排水口
２１  収集箱と収集箱置場洗浄用水道
２２  収集箱と収集箱置場洗浄用ホース
２３  リサイクル仮例、資材、プラスチックｏｒビニール用収集箱
２４  リサイクル仮例、資材、アルミ用収集箱
２５  リサイクル仮例、資材、スチール
２６  リサイクル仮例、資材、一部ゴミ用収集箱
【図１】
2004187482.tif 000003
【図２】
2004187482.tif 000004
【図３】
2004187482.tif 000005
【図４】
2004187482.tif 000006
【手続補正書】
【提出日】平成15年3月13日(2003.3.13)
【手続補正１】
【補正対象書類名】明細書
【補正対象項目名】全文
【補正方法】変更
【補正の内容】
【特許請求の範囲】
【請求項１】スーパー（食料品販売店）などの、食料品販売時に保存用食品（菓子、カンズメ、惣菜、その他、雑貨食料品などの、当初から保存を目的に生産され、完全に包装パッケージされた包装を省く事が出来ない食料品）と当日食に当る食料品（当初から保存を目的に完全に包装パッケージされていない、精肉、鮮魚、惣菜、野菜などの製造日近くに食する包装を省いて販売する事が出来る食料品）の食品分けをする。そして包装を省く事が出来ない食料品売場と、包装を省いて販売する事が出来る食料品売場の売場分けをし。主要であるゴミに成る物（食料品の包装材）を無くす為に食料品の包装を省いて販売出来る食料品売場ではその販売する食料品の包装を取り除き、食料品その物だけをお客様にお渡しする。
又現在ゴミに成っている持ち帰り用袋（プラ、塩化ビニール製など）もリサイクル処理化されない物は、お客様にはお渡ししない事を特徴とした食料品販売システム。
【発明の詳細な説明】
【０００１】
【発明の属する技術分野】
スーパーなどの食料品販売店の食料品販売時に後々にも、ゴミを出さない様に販売する販売システム。その際、構造設置して行きたい保存用食料品（当初から保存を目的に生産された完全に包装された包装を省く事が出来ない食料品）の包装材の環境への影響も鑑みて行ったリサイクル素材（アルミ・スチール・ビン・ビニール・プラスチック・紙など）の選択とそれに伴う、各リサイクル素材の処理施設設置の確立と各リサイクル素材に分別したリサイクル構造の整理化の提唱で。御一考頂けましたらと具体的に考えてみました。
【０００２】
【従来の技術】
食料品包装材の、不節操な使用は、日本のお国柄だと考えるが、現在、場合によっては包装なしで販売している事が有るが、当考案内容の保存用食品などの包装を省いて販売出来ない食料品売場と製造日当日近くに食する食品などの包装を省いて販売出来る食料品売場とを売場分けをし、本考案主要である包装を省いて販売する事が出来る食料品の包装を無くし食料品その物だけをお客様にお渡しし、又現在ゴミに成っている持ち帰り用袋をお渡ししないで食料品を販売する販売方法はない。
【０００３】
【発明が解決しようとする課題】
食料品包装材（ゴミに成る物）の乱雑な使用を無くし、スーパー（食料品販売店）などの商品販売の際に後々にもゴミに成る物を出さない様に販売を考え、その際、必要な保存用食品（当初から保存を目的に生産され完全に包装された包装を省けない食料品）の包装材をいかに後々まで安易にリサイクル化出来るか。
【０００４】
【課題を解決するための手段】
食料品販売時に保存用食品（菓子、カンズメ、雑貨食品などの、当初から保存を目的に生産され完全に包装された包装を省く事が出来ない食料品）以外の当日食に当る食料品（当初から保存を目的に完全に包装パッケージされていない精肉鮮魚・惣菜・野菜などの製造日近くに食する包装を省いて販売する事が出来る食料品）の包装を取り除き食料品その物だけをお客様にお渡しする、又現在ゴミに成っている持ち帰り用袋もリサイクル処理化されない物は、お渡しせず、お客様には前もって販売食料品をいれる容器と持ち帰り用の袋を、御持参頂く様御賛同御協力をお願いしその際店内食料品売場の配列は保存用食料品（当初から保存を目的に生産され完全に包装された包装を省く事が出来ない食料品）とに売場分けをし販売する食料品の料金清算を安易にする為保存用食品などの包装を省けない食料品売場専用の料金清算所（レジスタ）と製造日当日近くに食する包装を省いて販売する事が出来る食料品売場専用の料金清算書（レジスタ）を設け食料品売場の整理化を図るものである。なお、付け加えて行かなければいけない事は保存用食料品の包装材は後々に安易にリサイクル出来る事を目指し各種包装素材、アルミ、スチール、ビン、プラスチック、ビニール、紙などのその素材の安易なリサイクル化を図る為、包装素材、１種、１性質の素材の単純化を提案し本考案内内容の保存用食料品（包装を省けない食料品）のリサイクルする素材の選考を一孝、鑑みて行かなくてわいけない事であり、その選考の際に各種包装素材の安易にリサイクル処理を出来る素材か素材選択し、例（ビニールの中でも安易にリサイクル処理出来る質のビニールか選び使用する）勿論リサイクル処理行程による環境への影響（リサイクル処理前の素材の汚れの洗浄による環境への影響も課題で有ろう）。又、選考された各種リサイクル素材のリサイクル構造の潤滑の為に、各種リサイクル素材専用の収集箱と各素材専用の収集車の設置を提案し、それに伴い収集箱とその収集箱の置場の構造を考え、その収集箱と置場の構造を一般家庭用だけでなく公園や公共の場所やその他の場所への適応を願い、考えて観たものである。早期のリサイクル構造の改革、構造設立を願うものである。
【０００５】
【発明の実施の形態】
本考案の実施の形態は、販売方法の説明と売場例図面を基に説明する。販売方法の説明は、食料品販売時に（スーパー食料品販売店などで）ゴミに成る物を、省く為（例、食料品包装材）保存用食料品（菓子、カンズメ、雑貨食品などの当初から保存を目的に生産され完全に包装された包装を省く事が出来ない食料品）以外の当日食に当る食料品（精肉、鮮魚、惣菜、野菜、など製造日近くに食する包装を省いて、販売出来る食料品）の包装を取り除き、食料品その物だけをお客にお渡しし、又現在ゴミに成っている持ち帰り用袋（プラ、塩化ビニール製など）もリサイクル処理化されない物はお客様にお渡ししない販売方法で、その際お客にわ前以て購入して頂いた食料品を入れる容器と持ち帰り用の袋を御持参頂く様御協力を御願いし、その販売方法実施の際の食料品販売所の売場配列例を図１で説明する。食料品売場の売場配列例を例図として図１で説明する各、２、５、６を保存用食品（当初から保存を目的に生産され完全に包装された包装を省く事が出来ない食料品）売場とし、７と８、各１、３、４を当日食に当る食料品（精肉、鮮魚、惣菜、野菜など製造日近くに食する包装を省いて販売出来る食料品）売場とし各５、６（保存食品）と７各３、４（当日食に当る食料品）の様に売場分けをし、５、６専用の料金清算所（レジスタ）を２とし各３、４（当日食に当る包装を省いて販売する事が出来る食料品売場）専用の料金清算所（レジスタ）は各１を設け食料品販売の料金清算の整理化を図るものである。なお（レジスタ）料金清算場所はコスト削減の為、隣同士の２食品に１つを設けるだけでも良い。なお当日食に当る包装を省いて販売する事が出来る精肉、鮮魚、惣菜、野菜など各食品種別の売場は各１、３、４である。その際、保存用食品（包装を省けない食品）の包装材のリサイクル化の構造を（課題を解決するための手段）の内容で鑑みて行き、それに伴い一般家庭のゴミ、リサイクル材収集場所だけでなく公園や、公共の場所やその他の場所に設置を提案したい各種、リサイクル素材を入れる収集箱とその収集箱の置場の構造例は、図２、図３、図４で説明したい。図２の１７は、ゴミ箱（リサイクル材収集箱）の中敷用ゴミ袋を使用しなくて済む事とゴミ、リサイクル材の内容物、雨水など溜まる事なく、汚れも洗浄しやすい様に１８をアミ目底にし、図３の１９は各種リサイクル素材用と一部のゴミ用の収集箱を置き納まる大きさを取り、２１は図２のリサイクル素材用と一部のゴミ用の収集箱と、１９の洗浄用水道で有り、２２はその洗浄用ホースで有る。２０は排水用排水口で有る。図４は収集箱と収集箱置場例の全体図で２３、２４、２５、２６は各例素材用収集箱である。その他、ビン、紙、ビニール（プラスチック）のリサイクル素材の内容など鑑みて行き各収集箱の種類を選択して頂きたい。
【図面の簡単な説明】
【図１】本考案内容で実施の際の食料品販売所の売場配列例図である。
【図２】本考案内容の際に考えてみたリサイクル素材用と一部のゴミ用の収集箱の本体例図である。
【図３】本考案内容の実施の際に、考えてみたリサイクル素材用と一部のゴミ用の収集箱置場の構造例図である。
【図４】本考案内容の実施の際に考えてみたリサイクル素材収集箱と ＿＿収集箱置場の構造例全体図である。
【符号の説明】
１  当日食に当る食品（包装無）売場用レジスター
２  保存用食品（包装有）売場用レジスター
３  当日食に当る食品（包装無）売場
４  食品仕込み場所
５  保存用食品売場
６  冷凍食品（保存用食品）売場（棚）
７  生鮮食品（当日食に当る食品）売場（棚）
８  ７用レジスター
９  店員通路
１０  お客様用購入品梱包台
１１  出入口
１２  非常口
１３  トイレ用通路
１４  トイレ（仮例、男子用）
１５  トイレ（仮例、女子用）
１６  倉庫
１７  リサイクル素材用と一部のゴミ用の収集箱
１８  水切り用アミ目底
１９  水切り用収集箱置場
２０  排水口
２１  収集箱と収集箱置場の洗浄用水道
２２  収集箱と収集箱置場の洗浄用ホース
２３  リサイクル仮例資材（プラスチックｏｒビニール用収集箱）
２４  リサイクル仮例資材（アルミ用収集箱）
２５  リサイクル仮例資材（スチール用収集箱）
２６  リサイクル仮例資材（一部のゴミ用収集箱）
【手続補正書】
【提出日】平成15年5月2日(2003.5.2)
【手続補正１】
【補正対象書類名】明細書
【補正対象項目名】全文
【補正方法】変更
【補正の内容】
【特許請求の範囲】
【請求項１】スーパー（食料品販売店）などの、食料品の販売時に、販売する食料品のゴミに成る包装材を無くす為に。
包装を省いて販売する事が出来ない食料品｛保存用食料品などの菓子、カンズメ、惣菜、冷凍食品、その他雑貨食料品などの、当初から保存を目的に製造され、完全に包装パッケージされた包装を省いて販売する事が出来ない食料品（包装有り食料品）｝と、包装を省いて販売する事が出来る食料品｛当日食食料品などに当る製造日当日近くに食する様な食料品で、製造当初から保存を目的に完全に包装パッケージされていない、精肉、鮮魚、惣菜、野菜、その他の食料品などの包装を省いて販売する事が出来る食料品（包装無し食料品）｝とを食料品分けをし。
そして包装を省いて販売する事が出来ない食料品（包装有り食料品）の売場と、包装を省いて販売する事が出来る食料品（包装無し食料品）の売場とを売場分けをする。
そして、御客様には、包装を省いて販売する事が出来る食料品（包装無し食料品）の売場で御購入して頂いた食料品を入れる容器（備考として、食料品持ち帰り用容器例、特願２００２−３６３０９３）や袋など、又、持ち帰り用の袋を前以て御持参頂ける様、御賛同、御協力を御願いし、その御持参頂いた、容器や袋などを、食料品の御購入の際に御使用頂く販売方法を取る。
包装を省いて販売する事が不可の食料品と、包装を省いて販売する事が可能な食料品とを分け、食料品の整理化を図り。
包装を省いて販売する事が可能な食料品の売場では、その販売する食料品の包装を無くし、食料品その物だけを御客様に御渡しする事を特徴とした食料品の販売店の販売システムである。
【発明の詳細な説明】
【０００１】
【発明の属する技術分野】
スーパーなどの食料品販売店の食料品販売時に後々にも、ゴミ（食料品の包装材）を出さない様に食料品を販売する、食料品の無包装販売対応の食料品販売の販売システム。
【０００２】
【従来の技術】
食料品包装材の、不節操な使用は、日本のお国柄だと考えるが、現在、グリーン購入法や場合によってはテイクアウト店などで購入者が包装無しで購入する場合が有るが。
現在の食料品販売店などの販売方法で。当考案の内容の、包装を省いて販売する事が出来ない食料品｛保存用食品などの当初から保存を目的に製造され完全に包装パッケージされた包装を省いて販売する事が出来ない食料品（包装有り食料品）｝と、包装を省いて販売する事が出来る食料品｛当日食食料品などに当る製造日当日近くに食する様な食料品で製造当初から保存を目的に完全に包装パッケージされていない包装を省いて販売する事が出来る食料品（包装無し食料品）｝とを食料品をし包装有り食料品と包装無し食料品の売場分けをし食料品の整理化を図り。
包装無し食料品の売場では、販売する食料品の包装を無しで食料品その物だけを御客様にお渡しして行く販売方法を取り。
販売する食料品を無包装で販売する事に対応出来る事を特徴としたスーパーなどの食料品の販売方法の販売店は見られない。
【０００３】
【発明が解決しようとする課題】
食料品包装材（ゴミに成る物）の乱雑な使用を無くす様スーパー（食料品販売店）などの商品販売の際に後々にもゴミに成る物を出さない様に販売を考え、その際、省いて販売することが出来ない包装材（保存用食料品などの生産当初から保存を目的に生産され完全に包装された包装を省く事が出来ない食料品の包装材）をいかに後々まで安易にリサイクル化して行ける様に成るか考える。
【０００４】
【課題を解決するための手段】
まずゴミに成る物（食料品の包装材）を無くす為に、どうしても包装を省いて販売する事が出来ない食料品と、包装を省いて販売する事が出来る食料品とに分類分けをする。
その分類分けの内容は、本校案内容の請求項１の内容の食料品の販売時に販売する食料品の、包装を省いて販売する事が出来ない食料品｛保存用食料品などの菓子、カンズメ、惣菜、冷凍食料品、その他雑貨食料品などの当初から保存を目的に製造され完全に包装パッケージされた包装を省いて販売する事が出来ない食料品（包装有り食料品）｝と包装を省いて販売する事が出来る食料品｛当日食食料品などに当る製造日当日近くに食する様な食料品で製造当初から保存を目的に完全に包装パッケージされていない、精肉、鮮魚、惣菜、野菜、その他の食料品などの包装を省いて販売する事が出来る食料品（包装無し食料品）｝の食料品分けをし、食料品の包装材有り食料品と、包装材無し食料品との食料品の整理化を図り。
そして、包装を省いて販売する事が出来ない食料品（包装有り食料品）の売場と、包装を省いて販売する事が出来る食料品（包装無し食料品）の売場分けをし。食料品の包装を省いて販売する事が出来る食料品（包装無し食料品）の売場では、その販売する食料品の包装を無しで、食料品その物だけを御客様に御渡しする。
その際、御客様には前以て購入した食料品を入れる容器（備考として、食料品を入れ持ち帰る容器例、特願２００２−３６３０９３など）と持ち帰り用の袋を、御持参頂ける様、御賛同、御協力を御願いし、その御持参頂いた容器などを食料品購入時にご使用頂く。
そして、食料品の包装材への販売側と購入側の思慮により、ゴミに成っている食料品の包装材の使用を無くし。
後は、包装を省く事が出来ない食料品の包装材の素材を後々まで安易にリサイクルし安い素材（リサイクル処理時などにも環境への影響が無い素材）を使用する事により食料品の包装材の完全リサイクル化が実現するもので有る。
【０００５】
【発明の実施の形態】
本考案の実施の形態は、食料品の販売方法の説明と売場例の図面を基に説明する。
食料品の販売方法の説明は、スーパー（食料品販売店）などで、食料品の販売時にゴミ成る物（例、食料品の包装材）を省く為、食料品の包装を省いて販売する事が出来ない食料品｛保存用食料品などの菓子、カンズメ、惣菜、冷凍食料品、その他雑貨食料品などの、当初から保存を目的に製造され、完全に包装パッケージされた包装を省いて販売する事が出来ない食料品（包装有り食料品）｝と、包装を省いて販売する事が出来る食料品｛当日食食料品などに当る製造日当日近くに食する様な食料品で製造当初から保存を目的に完全に包装パッケージされていない、精肉、鮮魚、惣菜、野菜、その他の包装を省いて販売する事が出来る食料品（包装無し食料品）｝の食料品の分類分けをする。
そして、包装を省いて販売する事が出来ない食料品（包装有り食料品）の売場と、包装を省いて販売する事が出来る食料品（包装無し食料品）の売場とを売場分けをし。
本考案主要の食料品の包装材（ゴミに成る物）を無くす為に食料品の包装を省いて販売出来る食料品（包装無し食料品）の売場では、その販売する食料品の包装材の使用を無しで、食料品その物だけを御客様にお渡しする販売方法を取り。
その際、御客様には前以て購入して頂いた食料品を入れる容器と持ち帰り用の袋を御持参頂ける様、御賛同、御協力を御願いし、その御持参頂いた容器などを食料品購入時に御使用頂く、食料品の包装の無包装販売の対応の販売方式の店舗にする。
その販売方法の販売の構造と店内食料品売場の売場の配列の例を例図として図１で説明する。
符号の各５、各６を包装有り食料品（保存用食料品などの、当初から保存を目的に製造され、完全に包装パッケージされた包装を省いて販売する事が出来ない食料品）の売場とし、各３と７を包装無し食料品（当日食食料品などに当る製造日当日近くに食する様な食料品で製造当初から保存を目的に完全に包装パッケージされていない包装を省いて販売する事が出来る食料品）の売場とする。
そして分類分け（売場分け）をした食料品の料金清算の利便化を図る為、包装有り食料品の売場（符号の５、６）には包装有り食料品専用の料金清算場所（レジスター）符号の２を設け、包装無し食料品の売場（符号の３、７）には包装無し食料品専用の料金清算場所（レジスター）符号の１を設ける。尚、符号の１（包装無し食料品専用の料金清算場所）はコスト削減の為、隣同志の２食品に１つの料金清算場所（レジスター）にしたり、料金清算の利便化が図れればカードなどを使用し料金をバーコード入力して行っても良い。
尚、符号の各４は、符号の各３（包装無し食料品の売場）の食料品の仕込み場所である。
そして符号の９を各食料品仕込み場所への従業員通路とし、符号の１０をお客様用購入品の梱包台である、符号の１１は店舖出入口で、符号の１２は非常時の退路（非常口）、符号の１３は倉庫、符号の１４は事務所、符号の１５、１６はトイレである。
【０００６】
【発明の効果】
本考案の内容の、食料品の包装の無包装販売対応の販売方式の店舗にする事により。
食料品の包装材の使用を整理化する事が出来、販売側と購入側の思慮により今迄ゴミに成っている食料品の包装材の排出を無くす事が出来るようになり。
後は、包装を省いて販売する事が出来ない食料品の包装材の素材を後々に安易にリサイクルし安い素材（リサイクル処理時などにも環境への影響が無い素材）を使用する事により食料品の包装材の完全リサイクル化が実現するもので有る。
【０００７】
【図面の簡単な説明】
【図１】本考案内容で実施の際の食料品販売所の売場配列例図である。
【符号の説明】
１  包装無し食料品の売場専用レジスター
２  包装有り食料品の売場専用レジスター
３  包装無し食料品の売場（棚）
４  食品仕込み場所
５  包装有り食料品の売場（棚）
６  包装有り食料品（冷凍食料品）の売場（棚）
７  包装無し食料品の売場（棚）
８  ７用レジスター
９  従業員通路
１０  お客様用購入品梱包台
１１  店舗出入口
１２  非常口
１３  倉庫
１４  事務所
１５  トイレ（仮例、女子用）
１６  トイレ（仮例、男子用）
【手続補正２】
【補正対象書類名】図面
【補正対象項目名】図１
【補正方法】変更
【補正の内容】
【図１】
2004187482.tif 000007
【手続補正３】
【補正対象書類名】図面
【補正対象項目名】図２
【補正方法】削除
【補正の内容】
【手続補正４】
【補正対象書類名】図面
【補正対象項目名】図３
【補正方法】削除
【補正の内容】
【手続補正５】
【補正対象書類名】図面
【補正対象項目名】図４
【補正方法】削除
【補正の内容】